【事件の表示】
　特願２０１７−１９７３３４号「遊技機」拒絶査定不服審判事件〔令和　１年　５月　９日出願公開、特開２０１９−　６９０６１号〕について、次のとおり審決する。
【結　論】
　本件審判の請求は、成り立たない。
【理　由】
第１　手続の経緯
　本願は、平成２９年１０月１１日の出願であって、平成３１年４月２２日付けの拒絶理由通知に対して、令和１年７月３日に意見書が提出されるとともに手続補正がなされ、同年１０月２８日付けの最後の拒絶理由通知に対して、同年１２月１７日に意見書が提出されるとともに手続補正がなされたところ、令和２年２月２５日付けで令和１年１２月１７日付けの手続補正が却下されるとともに拒絶査定（以下、「原査定」という。）がなされ、これに対して、令和２年３月２６日に拒絶査定不服審判の請求がされると同時に手続補正がなされたものである。
第２　令和２年３月２６日付けの手続補正についての補正の却下の決定
［補正の却下の決定の結論］
　令和２年３月２６日付けの手続補正（以下、「本件補正」という。）を却下する。
［理由］
１　補正の内容
　本件補正は、特許請求の範囲を補正するものであって、特許請求の範囲の請求項１について、本件補正前の令和１年７月３日付けの手続補正において、
「【請求項１】
　遊技に供される遊技機において、
　遊技機の外部に対して信号を出力可能な外部出力手段と、
　遊技機において発生し得る、第１エラー及び第２エラーを含む複数種類のエラーを検出するためのエラー検出手段と、
　前記第１エラー又は前記第２エラーが検出されたとき、エラーの報知を行うことが可能な報知手段と、
　遊技機に対する電源が復旧したときに所定の復旧表示を行う復旧表示手段と、を備え、
　前記第１エラーが検出された際には所定のエラー検出信号が前記外部出力手段から出力される一方、前記第２エラーの検出は前記外部出力手段の出力に影響を与えず、
　前記報知手段は、前記第２エラーの報知中に前記第１エラーが検出された場合には前記第１エラーの報知を行うことを可能とし、前記第１エラーの報知中に前記第２エラーが検出された場合には前記第２エラーの報知の一部又は全部を非実行とし、
　遊技機に対する電源が復旧したときに前記第１エラーを検出した場合、前記復旧表示と共に前記第１エラーの報知を行う、又は、実行中の前記復旧表示を終了させて前記第１エラーの報知を行う
ことを特徴とする遊技機。」
とあったものを、
「【請求項１】
Ａ　遊技に供される遊技機において、
Ｂ　遊技機の外部に対して信号を出力可能な外部出力手段と、
Ｃ　遊技機において発生し得る、第１エラー及び第２エラーを含む複数種類のエラーを検出するためのエラー検出手段と、
Ｄ　前記第１エラー又は前記第２エラーが検出されたとき、エラーの報知を行うことが可能な報知手段と、
Ｅ　遊技機に対する電源が復旧したときに所定の復旧表示を行う復旧表示手段と、を備え、
Ｆ　前記第１エラーが検出された際には所定のエラー検出信号が前記外部出力手段から出力される一方、前記第２エラーの検出は前記外部出力手段の出力に影響を与えず、
Ｇ　前記報知手段は、前記第２エラーの報知中に前記第１エラーが検出された場合には前記第１エラーの報知を行うことを可能とし、前記第１エラーの報知中に前記第２エラーが検出された場合には前記第２エラーの報知の一部又は全部を非実行とし、
Ｈ　遊技機に対する電源が復旧したときに前記第１エラー
が検出された
い、
Ｉ　
前記外部出力手段は、遊技者に有利な特別遊技を行うか否かの特別遊技判定にて前記特別遊技を行うと判定される確率と依存関係にある設定値情報を表示及び設定可能な設定変更モードにおいて、所定の信号を遊技機の外部に対して出力し、前記所定の信号と前記第１エラーが検出された際に出力される前記エラー検出信号とを共通の出力端子から出力する
Ｊ　ことを特徴とする遊技機。」
と補正することを含むものである（下線部は補正箇所を示す。記号Ａ〜Ｊは、分説するため当審で付した。）。
２　補正の適否
（１）補正の目的
　本件補正のうち特許請求の範囲の請求項１についてする補正は、補正前の請求項１に係る発明を特定するために必要な事項である「外部出力手段」について、「遊技者に有利な特別遊技を行うか否かの特別遊技判定にて前記特別遊技を行うと判定される確率と依存関係にある設定値情報を表示及び設定可能な設定変更モードにおいて、所定の信号を遊技機の外部に対して出力し、前記所定の信号と前記第１エラーが検出された際に出力される前記エラー検出信号とを共通の出力端子から出力する」との限定を付加するとともに、補正前の「前記第１エラーを検出した場合」について、補正後の「前記第１エラーが検出された場合」という意味内容の変わらない別表現へと言い改めようとするものである。
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
（２）新規事項
　本件補正は、本願の願書に最初に添付した明細書、特許請求の範囲又は図面における【０７３０】等の記載に基づくものであり、新たな技術事項を導入するものではないから、特許法第１７条の２第３項に規定する要件を満たす。
３　独立特許要件
　そこで、本件補正後の請求項１に係る発明（以下、「本願補正発明」という。）が特許出願の際に独立して特許を受けることができるものであるか、すなわち、特許法第１７条の２第６項において準用する同法第１２６条第７項の規定に適合するかについて、以下に検討する。
（１）引用文献に記載された事項
ア　引用文献１に記載された事項
　原査定の拒絶の理由に引用された、本願の出願前に公開された特開２０１４−６８７２９号公報（以下、「引用文献１」という。）には、以下の事項が記載されている（下線は当審で付した。以下、同様。）。
（ア）「【００１５】
　［第１実施形態］
　以下、本発明をパチンコ遊技機に具体化した第１実施形態について図１〜図１１を参照して説明する。
【００１６】
　図１には、
遊技に関する制御を行うパチンコ遊技機１０
（イ）「【００６２】
　また、電源基板５５には、オン設定、オフ設定に切替操作が可能なＲＷＭクリアスイッチＲＣＳが配設されている。
電源基板５５からは、ＲＷＭクリアスイッチＲＣＳの操作に応じて、ＲＷＭクリア信号が払出制御基板５６に出力され、払出制御基板５６及び主制御中継端子板５８を介して、主制御基板５４にも出力される
・・・・・
【００７２】
　また、払出制御基板５６には、外部端子板５３が接続されているとともに、該外部端子板５３にはホールコンピュータＨＣが接続されるようになっている。
払出制御基板５６は、外部端子板５３を介してホールコンピュータＨＣに対して、パチンコ遊技機１０の動作状態等の遊技情報を出力可能である
（ウ）「【００９０】
　本実施形態において主制御基板５４の主制御用ＣＰＵ５４ａは、図６に示す主なエラー状態を検出するように構成されている。具体的に言えば、
主制御用ＣＰＵ５４ａは、ＲＷＭクリアと、磁気エラーと、誘導磁界検知エラーと、振動検知エラーと、第１大入賞口不正入賞エラーと、第２大入賞口不正入賞エラーと、普通電動役物不正入賞エラーと、役物内球詰まりエラーと、扉開放と、満杯エラーと、賞球エラーとを検出する
ＲＷＭクリアは、バックアップデータが初期化されることを示す状態であり、電源基板５５から出力されるＲＷＭクリア信号がオンとなった状態で、リセット信号がオンとなったときに検出される
【００９１】
　また、図５に示すように、主制御基板５４は、主制御中継端子板５８を介して払出制御基板５６に対して、情報１信号〜情報７信号と、扉開放情報信号と、セキュリティ情報信号（出力情報、エラー関連情報）と、賞球制御信号（払出制御コマンド）とを出力する。これらの各信号は、別々の信号線を用いて出力される。情報１信号〜情報７信号は、ホールコンピュータＨＣに対し、パチンコ遊技機１０の遊技に関する情報を出力する信号である。例えば、これらの情報としては、大当り遊技や小当り遊技などの遊技状態を示す情報、第１始動入賞口３７及び第２始動入賞口３８に遊技球が入球したことを示す情報、図柄変動ゲーム及び普通図柄変動ゲームが終了したことを示す情報などである。扉開放情報信号は、前枠１６が開放されたこと、すなわち扉開放検知スイッチ８５が扉の開放を検出したことを出力する信号である。
セキュリティ情報信号は、複数種類のエラー状態のうち、特定のエラー状態の少なくとも何れかが検知されたことを出力する信号である
この特定のエラー状態としては、
ＲＷＭクリア、磁気エラー、誘導磁界検知エラー、振動検知エラー、第１大入賞口不正入賞エラー、第２大入賞口不正入賞エラー及び普通電動役物不正入賞エラーが該当する
その一方で、役物内球詰まりエラー、扉開放、満杯エラー及び賞球エラーは、特定のエラー状態に該当せずに、非特定のエラー状態に該当する
（エ）「【００９８】
　その一方で、統括制御基板７０の統括制御用ＣＰＵ７０ａは、エラー指定コマンドを入力すると、該コマンドに対応するエラー報知を実行させる。具体的に、
統括制御用ＣＰＵ７０ａは、表示制御基板７２に演出表示装置３３において画像によるエラー報知を実行させ、音声・ランプ制御基板７１に対してエラー報知の実行を指示し、スピーカ２０からのエラー音によるエラー報知を実行させる
ＲＷＭクリア、磁気エラー、誘導磁界検知エラーについては、画像、音声及びランプを用いてエラー報知が行われる
満杯エラーについては、画像及び音声を用いてエラー報知が行われる
・・・・・
【０１０１】
　また、
統括制御用ＲＯＭ７０ｂには、エラー状態毎に優先順位が記憶されている。具体的には、優先順位の高い順に、ＲＷＭクリア、磁気エラー、誘導磁界検知エラー、振動検知エラー、第１大入賞口不正入賞エラー、第２大入賞口不正入賞エラー、普通電動役物不正入賞エラー、役物内球詰まりエラー、扉開放、満杯エラー、賞球エラーとして優先順位が規定されている
【０１０２】
　そして、
統括制御用ＣＰＵ７０ａは、複数種類のエラー状態が検知されている場合には、検知されている複数のエラーに関するエラー報知を重複させて実行させることはなく、複数のエラーの優先順位を統括制御用ＲＯＭ７０ｂから読み出し、優先順位の最も高い１種類のエラー状態に関するエラー報知を実行させるように制御する
【０１０３】
　次に、
払出制御基板５６は、主制御中継端子板５８を介して主制御基板５４から出力された各種信号を入力すると、情報１信号〜情報７信号と、扉開放情報信号と、セキュリティ情報信号と、賞球予定情報信号
と、賞球情報信号とを外部端子板５３を介してホールコンピュータＨＣに出力する
（オ）「【０１０６】
　まず、メイン処理について以下に説明する。 本実施形態のパチンコ遊技機では、
電源の投入に伴って、主制御用ＣＰＵ５４ａは、リセット信号が入力されると、タイマ割込み処理の割込みを禁止するとともに、ＣＰＵ内蔵のＲＷＭのアクセスを許可し、
ＲＷＭクリアスイッチＲＣＳの設定に応じて初期化を行うか否かと、正常にバックアップが行われているか否かと、を判定する
（カ）「【図６】
」
　上記（ア）〜（カ）の記載事項を総合すると、引用文献１には、次の発明（以下、「引用発明」という。）が記載されていると認められる（記号ａ〜ｊは、本願補正発明の構成Ａ〜Ｊに対応させて付した。ただし、引用発明は、本願補正発明の構成Ｈ及びＩに対応する構成を有しないので、記号ｈ及びｉは使用していない。また、丸括弧内に引用文献１における引用箇所を示した。）。
「ａ　遊技に関する制御を行うパチンコ遊技機１０において（【００１６】）、
ｂ　外部端子板５３を介してホールコンピュータＨＣに対して、パチンコ遊技機１０の動作状態等の遊技情報を出力可能である払出制御基板５６と（【００７２】）、
ｃ　ＲＷＭクリアと、磁気エラーと、誘導磁界検知エラーと、振動検知エラーと、第１大入賞口不正入賞エラーと、第２大入賞口不正入賞エラーと、普通電動役物不正入賞エラーと、役物内球詰まりエラーと、扉開放と、満杯エラーと、賞球エラーとを検出する主制御用ＣＰＵ５４ａと（【００９０】）、
ｄ　表示制御基板７２に演出表示装置３３において画像によるエラー報知を実行させ、音声・ランプ制御基板７１に対してエラー報知の実行を指示し、スピーカ２０からのエラー音によるエラー報知を実行させ、ＲＷＭクリア、磁気エラー、誘導磁界検知エラーについては、画像、音声及びランプを用いてエラー報知を行わせ、満杯エラーについては、画像及び音声を用いてエラー報知を行わせる統括制御用ＣＰＵ７０ａと、を備え（【００９８】）、
ｅ　電源の投入に伴って、主制御用ＣＰＵ５４ａは、リセット信号が入力されると、タイマ割込み処理の割込みを禁止するとともに、ＣＰＵ内蔵のＲＷＭのアクセスを許可し、ＲＷＭクリアスイッチＲＣＳの設定に応じて初期化を行うか否かと、正常にバックアップが行われているか否かと、を判定し（【０１０６】）、
　電源基板５５からは、ＲＷＭクリアスイッチＲＣＳの操作に応じて、ＲＷＭクリア信号が払出制御基板５６に出力され、払出制御基板５６及び主制御中継端子板５８を介して、主制御基板５４にも出力され（【００６２】）、
　ＲＷＭクリアは、バックアップデータが初期化されることを示す状態であり、電源基板５５から出力されるＲＷＭクリア信号がオンとなった状態で、リセット信号がオンとなったときに検出され（【００９０】）、
ｆ　払出制御基板５６は、主制御中継端子板５８を介して主制御基板５４から出力された各種信号を入力すると、情報１信号〜情報７信号と、扉開放情報信号と、セキュリティ情報信号と、賞球予定情報信号と、賞球情報信号とを外部端子板５３を介してホールコンピュータＨＣに出力し（【０１０３】）、
　セキュリティ情報信号は、複数種類のエラー状態のうち、特定のエラー状態の少なくとも何れかが検知されたことを出力する信号であり、この特定のエラー状態としては、ＲＷＭクリア、磁気エラー、誘導磁界検知エラー、振動検知エラー、第１大入賞口不正入賞エラー、第２大入賞口不正入賞エラー及び普通電動役物不正入賞エラーが該当し、その一方で、役物内球詰まりエラー、扉開放、満杯エラー及び賞球エラーは、特定のエラー状態に該当せずに、非特定のエラー状態に該当し（【００９１】）、
ｇ　統括制御用ＲＯＭ７０ｂには、エラー状態毎に優先順位が記憶されており、具体的には、優先順位の高い順に、ＲＷＭクリア、磁気エラー、誘導磁界検知エラー、振動検知エラー、第１大入賞口不正入賞エラー、第２大入賞口不正入賞エラー、普通電動役物不正入賞エラー、役物内球詰まりエラー、扉開放、満杯エラー、賞球エラーとして優先順位が規定されており（【０１０１】）、
　統括制御用ＣＰＵ７０ａは、複数種類のエラー状態が検知されている場合には、検知されている複数のエラーに関するエラー報知を重複させて実行させることはなく、複数のエラーの優先順位を統括制御用ＲＯＭ７０ｂから読み出し、優先順位の最も高い１種類のエラー状態に関するエラー報知を実行させるように制御する（【０１０２】）、
ｊ　パチンコ遊技機１０（【００１６】）。」
イ　引用文献２に記載された事項
　原査定の拒絶の理由に引用された、本願の出願前に公開された特開２０１７−９３６９８号公報（以下、「引用文献２」という。）には、図面とともに以下の事項が記載されている。
（ア）「【００１７】
（パチンコ機１０について）
　実施例に係る
パチンコ機１０
（イ）「【０１０８】
（エラー処理について）
　次に、前記演出制御基板６５(演出制御ＣＰＵ６５ａ)が、前記メイン制御基板６０(メイン制御ＣＰＵ６０ａ)から出力されたエラーコマンドの入力に基づいて実行するエラー処理について説明する。演出制御基板６５(演出制御ＣＰＵ６５ａ)は、前記各エラー毎に異なるエラーコマンドの内容に基づいて、前記表示装置１７、ランプ装置１８、スピーカ１９等のエラー報知手段によりエラーが発生したことを報知する処理を行う。すなわち、演出制御ＣＰＵ６５ａは、エラーを処理するエラー処理手段としての機能を備えている。ここで、エラー報知の実行に際しては、発生したエラーの種類に応じて報知優先順位が設定されている。これにより、例えば
エラー報知を実行中のエラーよりも報知優先順位が上位のエラーが後から発生した場合には、当該エラー報知を中断して報知優先順位が上位のエラーのエラー報知態様に切り替わるようになっている
エラー報知を実行中のエラーよりも報知優先順位が下位のエラーが後から発生した場合には、当該エラー報知を中断せずに継続して、後に発生した報知優先順位が下位のエラーのエラー報知を実行しないようになっている
　上記（ア）〜（イ）の記載事項を総合すると、引用文献２には、次の技術的事項（以下、「引用文献２に記載された技術的事項」という。）が記載されていると認められる（丸括弧内に引用文献２における引用箇所を示した。）。
「エラー報知を実行中のエラーよりも報知優先順位が上位のエラーが後から発生した場合には、当該エラー報知を中断して報知優先順位が上位のエラーのエラー報知態様に切り替わるようになっており、エラー報知を実行中のエラーよりも報知優先順位が下位のエラーが後から発生した場合には、当該エラー報知を中断せずに継続して、後に発生した報知優先順位が下位のエラーのエラー報知を実行しないようになっている（【０１０８】）、パチンコ機１０（【００１７】）。」
ウ　引用文献３に記載された事項
　原査定の拒絶の理由に引用された、本願の出願前に公開された特開２０１２−５０４８１号公報（以下、「引用文献３」という。）には、以下の事項が記載されている。
（ア）「【００２０】
　本発明は、遊技に関する制御を実行する制御手段と、複数種類のエラーを夫々検出可能なエラー検出手段とを備えたパチンコ遊技機に適用されるものである。以下、発明を実施するための形態について実施例に基づいて説明する。
【実施例】
【００２１】
　図１に示すように、
パチンコ遊技機１
（イ）「【００７０】
　電源投入・エラー報知情報記憶手段８２はＲＯＭ８２からなり、図１１に示すように、この電源投入・エラー報知情報記憶手段８２には、電源投入・エラー情報を報知するために、複数種類（例えば、２種類）の電源投入に関する電源投入報知情報、複数種類（例えば、１５種類）のエラーに関するエラー報知情報が記憶されている。
【００７１】
　
電源投入・エラー報知制御手段８３
【００７２】
　電源投入情報やエラー情報については、例えば、
電源投入（ＲＡＭクリア無）が検出された場合、報知態様Ａとして、
「復旧」が画像表示器１７に表示され、枠ランプ４１や盤ランプ４２が点滅される
電源投入（ＲＡＭクリア有）が検出された場合、報知態様Ｂとして、
「ＲＡＭクリア」が画像表示器１７に表示され、枠ランプ４１や盤ランプ４２が高速点滅される
【００７３】
　例えば、皿満タンエラーが検出された場合、報知態様Ｃとして、図１３（ｃ）に示すように、エラー情報「球を抜いてください」が画像表示器１７に表示され、同旨のエラー情報が音声でスピーカ４０から出力される。例えば、扉開放エラーが検出された場合、報知態様Ｄとして、図１３（ｄ）に示すように、エラー情報「扉開放エラー」が画像表示器１７に表示され、同旨のエラー情報が音声でスピーカ４０から出力され、枠ランプ４１や盤ランプ４２が点滅される。
【００７４】
　例えば、乱数エラーが検出された場合、
報知態様Ｅ（第１報知）として、図１４（ｅ）に示すように、「係員をお呼びください」が画像表示器１７に表示され
報知態様Ｆ（第１報知）として、図１４（ｆ）に示すように、「エラー発生」が画像表示器１７に表示され
（ウ）「【０１１４】
　ところで、電源投入処理中、又は、
電源投入情報の報知中に、乱数エラー等のエラーが発生する（検出される）場合、
画像表示器１７に図１４（ｅ）に示す画面が表示され、枠ランプ４１や盤ランプ４２が点滅され、或いは、画像表示器１７に図１４（ｆ）に示す画面が表示され、枠ランプ４１や盤ランプ４２が高速点滅される
（エ）「【図１２】
」
（オ）「【図１４】
」
　上記（ア）〜（オ）の記載事項を総合すると、引用文献３には、次の技術的事項（以下、「引用文献３に記載された技術的事項」という。）が記載されていると認められる（記号ｅ、ｈ、ｊは、本願補正発明の構成Ｅ、Ｈ、Ｊに対応させて付した。また、丸括弧内に引用文献３における引用箇所を示した。）。
「ｅ　電源投入（ＲＡＭクリア無）が検出された場合、報知態様Ａとして、「復旧」を画像表示器１７に表示させ、枠ランプ４１や盤ランプ４２を点滅させ、電源投入（ＲＡＭクリア有）が検出された場合、報知態様Ｂとして、「ＲＡＭクリア」を画像表示器１７に表示させ、枠ランプ４１や盤ランプ４２を高速点滅させる電源投入・エラー報知制御手段８３を備え（【００７１】、【００７２】）、
ｈ　電源投入情報の報知中に、乱数エラー等のエラーが発生する（検出される）場合、報知態様Ｅとして、「係員をお呼びください」が画像表示器１７に表示され、枠ランプ４１や盤ランプ４２が点滅され、或いは、報知態様Ｆとして、「エラー発生」が画像表示器１７に表示され、枠ランプ４１や盤ランプ４２が高速点滅される（【０１１４】、【００７４】）、
ｊ　パチンコ遊技機１（【００２１】）。」
（２）対比
　本願補正発明と引用発明とを対比する（対比にあたっては、本願補正発明の構成Ａ〜Ｊについて、それぞれ（ａ）〜（ｊ）の見出しを付けて行った。なお、引用発明は、本願補正発明の構成Ｈ及びＩに対応する構成を有しないため、（ｈ）及び（ｉ）の見出しは使用していない。）。
（ａ）引用発明の「遊技に関する制御を行う」ことは、本願補正発明の「遊技に供される」ことに相当し、引用発明の「パチンコ遊技機１０」は、本願補正発明の「遊技機」に相当する。
　してみると、引用発明の構成ａは、本願補正発明の構成Ａに相当する。
（ｂ）引用発明の「ホールコンピュータＨＣ」は、本願補正発明の「遊技機の外部」に相当し、引用発明の「パチンコ遊技機１０の動作状態等の遊技情報を出力可能である」ことは、本願補正発明の「信号を出力可能」であることに相当する。
　そして、引用発明の「払出制御基板５６」及び「外部端子板５３」は、本願補正発明の「外部出力手段」に相当する。
　してみると、引用発明の構成ｂは、本願補正発明の構成Ｂに相当する。
（ｃ）引用発明の「磁気エラー」、「満杯エラー」は、それぞれ本願補正発明の「第１エラー」、「第２エラー」に相当し、引用発明の「ＲＷＭクリアと、磁気エラーと、誘導磁界検知エラーと、振動検知エラーと、第１大入賞口不正入賞エラーと、第２大入賞口不正入賞エラーと、普通電動役物不正入賞エラーと、役物内球詰まりエラーと、扉開放と、満杯エラーと、賞球エラー」は、本願補正発明の「遊技機において発生し得る、第１エラー及び第２エラーを含む複数種類のエラー」に相当する。
　そして、引用発明の「主制御用ＣＰＵ５４ａ」は、本願補正発明の「エラー検出手段」に相当する。
　してみると、引用発明の構成ｃは、本願補正発明の構成Ｃに相当する。
（ｄ）上記（ｃ）で検討したとおり、引用発明の「磁気エラー」、「満杯エラー」は、それぞれ本願補正発明の「第１エラー」、「第２エラー」に相当する。
　そして、引用発明の「統括制御用ＣＰＵ７０ａ」は、「表示制御基板７２に演出表示装置３３において画像によるエラー報知を実行させ、音声・ランプ制御基板７１に対してエラー報知の実行を指示し、スピーカ２０からのエラー音によるエラー報知を実行させ」、「磁気エラー」「については、画像、音声及びランプを用いてエラー報知を行わせ、満杯エラーについては、画像及び音声を用いてエラー報知を行わせる」ものであるから、引用発明の「統括制御用ＣＰＵ７０ａ」、「表示制御基板７２」及び「音声・ランプ制御基板７１」は、本願補正発明の「前記第１エラー又は前記第２エラーが検出されたとき、エラーの報知を行うことが可能な報知手段」に相当する。
　してみると、引用発明の構成ｄは、本願補正発明の構成Ｄに相当する構成を有している。
（ｅ）引用発明は、「電源の投入に伴って、主制御用ＣＰＵ５４ａは、リセット信号が入力されると」「ＲＷＭクリアスイッチＲＣＳの設定に応じて初期化を行うか否か」「を判定」するものであり、「電源基板５５からは、ＲＷＭクリアスイッチＲＣＳの操作に応じて、ＲＷＭクリア信号が払出制御基板５６に出力され、払出制御基板５６及び主制御中継端子板５８を介して、主制御基板５４にも出力され」るものである。
　そして、引用発明の「ＲＷＭクリア」は、画像、音声及びランプを用いたエラー報知の対象となるものであるところ（構成ｄ）、「電源基板５５から出力されるＲＷＭクリア信号がオンとなった状態で、リセット信号がオンとなったときに検出され」るものであるから、引用発明において、ＲＷＭクリアスイッチＲＣＳを操作して電源の投入をした場合には、「ＲＷＭクリア」のエラー報知（画像表示を含む）がなされるものといえる。
　ここで、「ＲＷＭクリア」のエラー報知（画像表示を含む）は、遊技機の管理者以外の者がＲＷＭクリアスイッチＲＣＳを操作して電源の投入をした場合になされると、不正の可能性を示す「エラー報知」といえるものであるが、遊技機の管理者がＲＷＭクリアスイッチＲＣＳを操作して電源の投入をした場合には、「エラー報知」の画像表示がされても、不正の可能性はなく、単にＲＷＭクリアを伴う電源投入がされたことを示すにすぎないから、「復旧表示」ということもできるものである。
　そうすると、引用発明の構成ｄの「統括制御用ＣＰＵ７０ａ」及び「表示制御基板７２」は、「ＲＷＭクリア」のエラー報知（画像表示）をするものであるから、「復旧表示手段」ともいい得るものである。
　一方、引用発明において、ＲＷＭクリアスイッチＲＣＳを操作せずに電源の投入をした場合に、所定の復旧表示を行うかは明らかでない。
　してみると、引用発明の構成ｄ及びｅは、本願補正発明の構成Ｅと、「遊技機に対する電源が復旧したときに所定の復旧表示を行う場合がある復旧表示手段」を備える点で共通している。
（ｆ）引用発明の「セキュリティ情報信号」は、本願補正発明の「所定のエラー検出信号」に相当する。
　また、上記（ｂ）で検討したとおり、引用発明の「払出制御基板５６」及び「外部端子板５３」は、本願補正発明の「外部出力手段」に相当するところ、引用発明の「払出制御基板５６」は、「主制御基板５４から出力された各種信号を入力すると、情報１信号〜情報７信号と、扉開放情報信号と、セキュリティ情報信号と、賞球予定情報信号と、賞球情報信号とを外部端子板５３を介してホールコンピュータＨＣに出力」するものである。
　そして、引用発明において、「セキュリティ情報信号は、複数種類のエラー状態のうち、特定のエラー状態の少なくとも何れかが検知されたことを出力する信号であり、この特定のエラー状態としては、ＲＷＭクリア、磁気エラー、誘導磁界検知エラー、振動検知エラー、第１大入賞口不正入賞エラー、第２大入賞口不正入賞エラー及び普通電動役物不正入賞エラーが該当し、その一方で、役物内球詰まりエラー、扉開放、満杯エラー及び賞球エラーは、特定のエラー状態に該当せずに、非特定のエラー状態に該当」するから、引用発明の「磁気エラー」は、「特定のエラー状態」に該当し、磁気エラーが検知されると、セキュリティ情報信号が外部端子板５３を介してホールコンピュータＨＣに出力される一方、引用発明の「満杯エラー」は、「特定のエラー状態」には該当せず、満杯エラーが検知されてもセキュリティ情報信号は外部端子板５３を介してホールコンピュータＨＣには出力されないといえる。
　ここで、引用発明において、「磁気エラーが検知されると、セキュリティ情報信号が外部端子板５３を介してホールコンピュータＨＣに出力される」こと、「満杯エラーが検知されてもセキュリティ情報信号は外部端子板５３を介してホールコンピュータＨＣには出力されない」ことは、それぞれ本願補正発明の「前記第１エラーが検出された際には所定のエラー検出信号が前記外部出力手段から出力される」こと、「前記第２エラーの検出は前記外部出力手段の出力に影響を与え」ないことに相当する。
　してみると、引用発明の構成ｆは、本願補正発明の構成Ｆに相当する。
（ｇ）上記（ｃ）及び（ｄ）で検討したとおり、引用発明の「統括制御用ＣＰＵ７０ａ」、「磁気エラー」、「満杯エラー」は、それぞれ本願補正発明の「報知手段」、「第１のエラー」、「第２のエラー」に相当する。
　また、引用発明の「統括制御用ＲＯＭ７０ｂ」には、「エラー状態毎に優先順位が記憶されており、具体的には、優先順位の高い順に、ＲＷＭクリア、磁気エラー、誘導磁界検知エラー、振動検知エラー、第１大入賞口不正入賞エラー、第２大入賞口不正入賞エラー、普通電動役物不正入賞エラー、役物内球詰まりエラー、扉開放、満杯エラー、賞球エラーとして優先順位が規定されて」いるから、引用発明において、「磁気エラー」は、「満杯エラー」よりも優先順位が高いエラーであるといえる。
　そして、引用発明の「複数種類のエラー状態が検知されている場合」には、磁気エラーと満杯エラーの両方が検知されている場合も含まれるから、引用発明の「複数種類のエラー状態が検知されている場合には、検知されている複数のエラーに関するエラー報知を重複させて実行させることはなく」「優先順位の最も高い１種類のエラー状態に関するエラー報知を実行させるように制御する」ことと、本願補正発明の「前記第２エラーの報知中に前記第１エラーが検出された場合には前記第１エラーの報知を行うことを可能とし、前記第１エラーの報知中に前記第２エラーが検出された場合には前記第２エラーの報知の一部又は全部を非実行と」することとは、「前記第１エラーと前記第２エラーの両方が検出された場合には、前記第１エラーの報知を行うことを可能」とする点で共通する（なお、本願補正発明において、「前記第１エラーの報知中に前記第２エラーが検出された場合には前記第２エラーの報知の一部又は全部を非実行と」することは、第１エラーの報知を第２エラーの報知よりも優先させるための構成であり、第２エラーの報知の一部又は全部を非実行とする際に、第１エラーの報知が継続され得ることが前提であることは明らかであるから、「前記第１エラーの報知を行うことを可能」とする点を本願補正発明と引用発明との共通点に含めた。）。
　してみると、引用発明の構成ｇは、本願補正発明の構成Ｇと「前記報知手段は、前記第１エラーと前記第２エラーの両方が検出された場合には、前記第１エラーの報知を行うことを可能」とする点で共通する。
（ｊ）引用発明の「パチンコ遊技機１０」は、本願補正発明の「遊技機」に相当するから、引用発明の構成ｊは、本願補正発明の構成Ｊに相当する。
　上記（ａ）〜（ｊ）の検討により、本願補正発明と引用発明とは、
（一致点）
「Ａ　遊技に供される遊技機において、
Ｂ　遊技機の外部に対して信号を出力可能な外部出力手段と、
Ｃ　遊技機において発生し得る、第１エラー及び第２エラーを含む複数種類のエラーを検出するためのエラー検出手段と、
Ｄ　前記第１エラー又は前記第２エラーが検出されたとき、エラーの報知を行うことが可能な報知手段と、
Ｅ’　遊技機に対する電源が復旧したときに所定の復旧表示を行う場合がある復旧表示手段と、を備え、
Ｆ　前記第１エラーが検出された際には所定のエラー検出信号が前記外部出力手段から出力される一方、前記第２エラーの検出は前記外部出力手段の出力に影響を与えず、
Ｇ’　前記報知手段は、前記第１エラーと前記第２エラーの両方が検出された場合には、前記第１エラーの報知を行うことを可能とする、
Ｊ　遊技機。」
である点で一致し、構成Ｅ、Ｇ、Ｈ、Ｉに関する以下の点で相違している。
（相違点１）
　本願補正発明では、「遊技機に対する電源が復旧したときに所定の復旧表示を行う復旧表示手段」を備える（構成Ｅ）のに対して、引用発明では、ＲＷＭクリアスイッチＲＣＳを操作して電源の投入をした場合には、「ＲＷＭクリア」のエラー報知の画像表示（所定の復旧表示）がなされるが、ＲＷＭクリアスイッチＲＣＳを操作せずに電源の投入をした場合に、所定の復旧表示を行うかが明らかでない点。
（相違点２）
　「前記報知手段」について、本願補正発明では、「前記第２エラーの報知中に前記第１エラーが検出された場合には前記第１エラーの報知を行うことを可能とし、前記第１エラーの報知中に前記第２エラーが検出された場合には前記第２エラーの報知の一部又は全部を非実行」とする（構成Ｇ）のに対して、引用発明では、複数種類のエラー状態が検知されている場合には、優先順位の最も高い１種類のエラー状態に関するエラー報知を実行させるものの、満杯エラーの報知中に磁気エラーが検出された場合や、磁気エラーの報知中に満杯エラーが検知された場合について明記されていない点。
（相違点３）
　本願補正発明では、「遊技機に対する電源が復旧したときに前記第１エラーが検出された場合、前記復旧表示と共に前記第１エラーの報知を行う、又は、実行中の前記復旧表示を終了させて前記第１エラーの報知を行」う（構成Ｈ）のに対して、引用発明では、そのような構成を有しない点。
（相違点４）
　「前記外部出力手段」について、本願補正発明では、「遊技者に有利な特別遊技を行うか否かの特別遊技判定にて前記特別遊技を行うと判定される確率と依存関係にある設定値情報を表示及び設定可能な設定変更モードにおいて、所定の信号を遊技機の外部に対して出力し、前記所定の信号と前記第１エラーが検出された際に出力される前記エラー検出信号とを共通の出力端子から出力する」（構成Ｉ）のに対して、引用発明では、設定変更モードを有しない点。
（３）判断
ア　相違点１及び３の判断について
　相違点１と相違点３は、いずれも復旧表示に関連するものであるから、まとめて検討する。
　本願補正発明と引用文献３に記載された技術的事項とを対比すると、引用文献３に記載された技術的事項の「電源投入（ＲＡＭクリア無）が検出された場合」及び「電源投入（ＲＡＭクリア有）が検出された場合」は、本願補正発明の「遊技機に対する電源が復旧したとき」に相当する。そして、引用文献３に記載された技術的事項の「報知態様Ａとして、「復旧」を画像表示器１７に表示させ」ること、及び「報知態様Ｂとして、「ＲＡＭクリア」を画像表示器１７に表示させ」ることは、本願補正発明の「所定の復旧表示を行う」ことに相当し、引用文献３に記載された技術的事項の「電源投入・エラー報知制御手段８３」は、本願補正発明の「復旧表示手段」としての機能を有している。
　また、引用文献３に記載された技術的事項の「電源投入情報の報知中に、乱数エラー等のエラーが発生する（検出される）場合」は、本願補正発明の「遊技機に対する電源が復旧したときに前記第１エラーが検出された場合」と、「遊技機に対する電源が復旧したときにエラーが検出された場合」である点で共通する。そして、引用文献３に記載された技術的事項の「報知態様Ｅとして、「係員をお呼びください」が画像表示器１７に表示され、」「或いは、報知態様Ｆとして、「エラー発生」が画像表示器１７に表示され」ることは、本願補正発明の「前記復旧表示と共に前記第１エラーの報知を行う、又は、実行中の前記復旧表示を終了させて前記第１エラーの報知を行」うことと、「前記復旧表示と共にエラーの報知を行う、又は、実行中の前記復旧表示を終了させてエラーの報知を行」う点で共通する。
　そして、引用発明においても、ＲＡＭクリア（ＲＷＭクリアスイッチＲＣＳの操作）の有無にかかわらず、遊技機に対する電源が復旧したときに復旧処理中であることを分かるようにし、復旧処理中にエラーが発生した場合にエラーが発生したことを分かるようにすることが、遊技機の管理者にとって有益であることは明らかであるから、引用発明に対して引用文献３に記載された技術的事項を適用して、ＲＷＭクリアスイッチＲＣＳを操作して電源の投入をした場合に加えて、ＲＷＭクリアスイッチＲＣＳを操作せずに電源の投入をした場合にも、所定の復旧表示を行うようにするとともに、遊技機に対する電源が復旧したときに磁気エラー（第１エラー）などの各種エラーが検出された場合に、前記復旧表示と共に前記磁気エラー（第１エラー）などの各種エラーの報知を行う、又は、実行中の前記復旧表示を終了させて前記磁気エラー（第１エラー）などの各種エラーの報知を行うようにして、相違点１及び３に係る本願補正発明の構成とすることは、当業者が容易に想到できたことである。
イ　相違点２の判断について
　上記（１）イで引用文献２に記載された技術的事項として認定したとおり、引用文献２には、「エラー報知を実行中のエラーよりも報知優先順位が上位のエラーが後から発生した場合には、当該エラー報知を中断して報知優先順位が上位のエラーのエラー報知態様に切り替わるようになっており、エラー報知を実行中のエラーよりも報知優先順位が下位のエラーが後から発生した場合には、当該エラー報知を中断せずに継続して、後に発生した報知優先順位が下位のエラーのエラー報知を実行しないようになっている、パチンコ機１０。」との技術的事項が記載されている。
　引用発明と引用文献２に記載された技術的事項とは、エラー報知の対象となる複数のエラーに報知優先順位が規定されており、当該優先順位に従ってエラー報知が行われる遊技機である点で技術分野及び機能が共通している。
　そして、引用発明の磁気エラー（第１のエラー）と満杯エラー（第２のエラー）とでは、磁気エラーの方が報知優先順位が高いから（構成ｇ）、引用発明の磁気エラーと満杯エラーの報知に対して、引用文献２に記載された技術的事項を適用して、満杯エラーの報知中に報知優先順位が上位の磁気エラーが発生した場合に、満杯エラーの報知を中断して磁気エラーのエラー報知態様に切り替わるように（第１エラーの報知を行うことを可能と）し、磁気エラーの報知中に報知優先順位が下位の満杯エラーが後から発生した場合に、磁気エラー報知を中断せずに継続して、後に発生した満杯エラーのエラー報知を実行しないように（第２エラーの報知の一部又は全部を非実行と）することにより、相違点２に係る本願補正発明の構成とすることは、当業者が容易に想到できたことである。
ウ　相違点４の判断について
　スロットマシンなどの遊技機の技術分野において、遊技者に有利な特別遊技を行うか否かの特別遊技判定にて前記特別遊技を行うと判定される確率と依存関係にある設定値情報を表示及び設定可能な設定変更モードにおいて、所定の信号を遊技機の外部に対して出力し、前記所定の信号とエラーが検出された際に出力されるエラー検出信号とを共通の出力端子から出力することは、例えば特開２０１１−６７７０４号公報（【００１５】、【０１１３】、【０１１４】等）、特開２００５−１８５７４１号公報（【００７８】〜【００８０】、【００８５】、【０１１２】等）、特開２００９−３４３５３号公報（【請求項３】、【００５８】、【００７６】等）などにも記載されているように、本願の出願前における周知技術である。
　そして、パチンコ遊技機の技術とスロットマシンなどの他の遊技機の技術を相互に適用することが一般的に広く行われていることや、周知例として上記に例示した特開２００５−１８５７４１号公報の【０１２３】〜【０１２５】や同特開２００９−３４３５３号公報の【０００５】に、設定値変更の技術をパチンコ遊技機に適用することを示唆する記載があることも考慮すると、引用発明のパチンコ遊技機に対して、遊技機の管理者の便宜のためや外部出力端子や配線を最小限にしてコスト削減を図るなどの観点から、上記の周知技術を適用して、相違点４に係る本願補正発明の構成とすることは、当業者が容易に想到できたことである。
エ　本願補正発明の作用効果について
　本願補正発明の作用効果は、引用発明、引用文献２に記載された技術的事項、引用文献３に記載された技術的事項及び周知技術から当業者が予測できる範囲のものであり、格別顕著なものとはいえない。
オ　請求人の主張について
　請求人は、審判請求書において、「本願請求項１の如く“設定変更モードにおいて、所定の信号を遊技機の外部に対して出力”するようにしておくことで、現在のモードが設定変更モードであるのか否かを遊技機の管理者に明確に知らせることが可能となり、利便性の向上が図られます。」、「また、“前記所定の信号と前記第１エラーが検出された際に出力される前記エラー検出信号とを共通の出力端子から出力する”ように構成しておくことで、端子数の低減及び省配線化が実現されます。」（６頁１９行〜２５行）と主張している。
　しかしながら、審判請求書にて請求人の主張する効果は、上記周知技術においても奏されるものであり、上記周知技術から当業者が予測できる範囲のものであるから、本願補正発明において請求人の主張する効果が奏されるからといって、本願補正発明が当業者にとって容易に発明をすることができたものでないとはいえない。
（４）まとめ
　したがって、本願補正発明は、引用発明、引用文献２に記載された技術的事項、引用文献３に記載された技術的事項及び周知技術に基いて当業者が容易に発明をすることができたものであるから、特許法第２９条第２項の規定により、特許出願の際に独立して特許を受けることができないものである。
４　むすび
　以上のとおり、本願補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
第３　本願発明について
１　本願発明
　本件補正は、上記のとおり却下されることとなったので、本願の請求項１に係る発明（以下、「本願発明」という。）は、令和１年７月３日付けの手続補正により補正された特許請求の範囲の請求項１に記載された事項により特定されるとおりの、上記「第２［理由］１　補正の内容」に本件補正前の請求項１として記載したとおりのものである。
２　原査定の拒絶の理由
　原査定の拒絶の理由は、この出願の請求項１に係る発明は、その出願前に日本国内又は外国において、頒布された下記１〜３、又は、下記４の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない、というものである。
　　　　　　　　　　　　　　　　　記
　１．特開２０１４−６８７２９号公報
　２．特開２０１７−９３６９８号公報
　３．特開２０１２−５０４８１号公報
　４．特開２０１６−６３９５０号公報
３　引用文献に記載された事項
　原査定の拒絶の理由に引用された引用文献１〜３の記載事項、並びに、引用発明、引用文献２に記載された技術的事項及び引用文献３に記載された技術的事項の認定については、上記「第２［理由］３（１）引用文献に記載された事項」に記載したとおりである。
４　対比・判断
　本願発明は、上記「第２［理由］」で検討した本願補正発明から、構成要件である「外部出力手段」に関して、「遊技者に有利な特別遊技を行うか否かの特別遊技判定にて前記特別遊技を行うと判定される確率と依存関係にある設定値情報を表示及び設定可能な設定変更モードにおいて、所定の信号を遊技機の外部に対して出力し、前記所定の信号と前記第１エラーが検出された際に出力される前記エラー検出信号とを共通の出力端子から出力する」との限定を省くとともに、「前記第１エラーが検出された場合」という意味内容の変わらない別表現に言い改めていたものを、元の「前記第１エラーを検出した場合」との表現に戻したものである。
　そうすると、本願発明と引用発明とは、上記「第２［理由］３（２）」に記載した相違点１〜３において相違し、その余の点で一致している。そして、相違点１〜３は、上記「第２［理由］３（３）ア及びイ」にて説示したとおり、引用発明に対して引用文献２に記載された技術的事項及び引用文献３に記載された技術的事項を適用することにより、当業者が容易に想到することができたものであるから、本願発明は、引用発明、引用文献２に記載された技術的事項及び引用文献３に記載された技術的事項に基いて、当業者が容易に発明をすることができたものである。
第４　むすび
　以上のとおり、本願発明は、特許法第２９条第２項の規定により特許を受けることができないものであるから、本願は拒絶されるべきものである。
　よって、結論のとおり審決する。